(57)【要約】【課題】厨房家具用キャビネット内に米を体裁良く、収納すると共に、その取り出しがキャビネットの前面側から容易に行えるようにする。【解決手段】厨房家具用のキャビネット１に、薄形の米びつ本体１４を保持した狭幅の引出し１１を設けた。そして、この引出し１１の前面板１１ａに、米びつ本体１４の計量機構部を操作するための操作釦１２を設けると共に、この計量機構部から落下した米を受けるトレイ１３を出し入れ可能に設けた。【選択図】  図２
2004242778.tif 000002
【特許請求の範囲】
【請求項１】
略箱形で内部に収納空間が設けられたコンロ台や流し台などの厨房家具用キャビネットに、薄形の米びつ本体を保持した狭幅の引出しが設けられ、この引出しの前面板には、米びつ本体の計量機構部を操作する操作釦が設けられると共に、この計量機構部の下側に挿入されて該計量機構部から落下した米を受けるトレイが、挿脱可能に設けられたことを特徴とする厨房家具用キャビネット。
【発明の詳細な説明】
【０００１】
【発明の属する技術分野】
本発明は、米を体裁良く収納することができ、かつ、その取り出し操作も簡単に行えるようにした厨房家具用キャビネットに関する。
【０００２】
【従来の技術】
米の収納部が設けられた従来の厨房家具用キャビネットとしては、図５に示すように扉２１の内部が収納部とされたキャビネット２０の片側に縦長の引出し２２を設け、この引出し２２に薄形のストッカー２３を取り付けたものがあった。このストッカー２３は、金属あるいは合成樹脂で薄い箱形に形成されたものであり、その上部には、米の投入口２３ａが設けられると共に、投入された米を所定量宛落下させる操作釦２３ｂが設けられ、下部側面には、この落下した米を受けるトレイ２４が出し入れ可能に装着されていた。
【０００３】
また、モータなどの駆動力を用いて米を取り出すようにしたものとしては、キャビネット内に計量米びつと吸引ファンを設置する一方、流し台のシンク上に米と空気の分離手段を備えた供給機を設け、この供給機と前記吸引ファン及び計量米びつの下端側をホースで連通させることにより、吸引ファンの作動に伴って計量された米びつ内の米がホースを介して供給機に風送されるようにしたものもあった。（例えば、特許文献１参照）。
【０００４】
この他、キャビネットの底板を取り除くことにより、床上設置形の米びつをそのまま内部に収納するようにしたものもあった。（例えば、特許文献２参照）。
【０００５】
【特許文献１】
実開平６−２４５４３号公報（第５−７頁、第１図）
【特許文献２】
特開平６−３０４０２７号公報（第２頁、第１図）
【０００６】
【発明が解決しようとする課題】
上述した従来の厨房家具用キャビネットのうち、図５に示したものは、米を取り出す際、まず、引出しを前方に引き出した後、その上面に現れた操作釦を押動し、必要量の米をトレイに落下させ、その後、このトレイをストッカーの側面から横方向に引き出さなくてはならなかった。そのため、操作の度に一々引出しを開け閉めしなくてはならず、煩わしく、また、引出しの前方にも常に広い操作スペースを開けておかなくてはならないという問題点があった。
【０００７】
また、特許文献１に示されたように、吸引ファンを用いてキャビネット内の米びつに収納された米を、シンク上に設けられた供給機に供給するようにしたものは、一般の米びつには見られない吸引ファンや供給機などを用いているので構成が複雑で、高価になるという問題点があり、また、作動させるには電源などの動力源を必要とするので、余分なランニングコストがかかると共に、停電や故障などが生じると、米を取り出せない事態も生じるおそれがあった。
【０００８】
特許文献２に示されるように底板を取り除いたものは、床上設置形の種々の米びつを収納することができる反面、キャビネット内に広い収納スペースを要するので、他の物の収納スペースが削減されることとなり、さらにキャビネット自体の剛性も低下するおそれがあるという問題点があった。
【０００９】
本発明は、上記従来の厨房家具用キャビネットが有していた問題点の解決を課題とする。
【００１０】
【課題を解決するための手段】
上記の課題を解決するために、本発明では、略箱形で内部に収納空間が設けられたコンロ台や流し台などの厨房家具用キャビネットに、薄形の米びつ本体を保持した狭幅の引出しを設け、この引出しの前面板に、米びつ本体の計量機構部を操作するための操作釦を設けると共に、この計量機構部の下側に挿入されて該計量機構部から落下した米を受けるトレイを挿脱可能に設けることとした。
【００１１】
【発明の実施の形態】
以下、本発明を図示した実施の形態に基づき詳細に説明する。
【００１２】
図１は、本発明に係る厨房家具用キャビネットの例として、天面にシンクが設けられた流し台キャビネットを示した斜視図であり、図３は、その正面図である。図示したように、このキャビネット１は、シンク２が設けられた天板３と、左右の側板４（右側は図示せず）、背面板５、および底板６とで、前面が開放された箱形に形成されたものであり、前面の開放部分には、開閉扉７，８，９や引出し１０が設けられ、その内部を収納部（図示せず）としている。
【００１３】
ここにおいて本発明の厨房家具用キャビネットでは、キャビネット１の前面の片側、即ち、キャビネット１の側板４に隣接した個所に、縦長の引出し１１を設け、その内部に薄い箱形の米びつ本体１４を一体的に取り付けている。この米びつ本体１４は、図４に示すように内部中程に設けられた傾斜案内板１４ｂ，１４ｃで上下に区分されており、上面に設けられた投入口１４ａから投入された米は、この傾斜案内板１４ｂ，１４ｃの上側にストックされるようになっている。
【００１４】
また、この引出し１１の前面板１１ａには、上記米びつ本体１４内に設けられた計量機構部１４ｄを操作するための操作釦１２が設けられると共に、この計量機構部１４ｄの下方に挿入されるように、上面が開放された細長いトレイ１３が挿脱可能に設けられている。
【００１５】
なお、図において、符号１５は、引出し１１を移動可能に支持した引出しレール、１１ｂは、引出し１１の前面板１１に取りつけられた把手を示す。
【００１６】
本発明の厨房家具用キャビネットは、上記の構成を有している。
【００１７】
次に、このキャビネット１に一体的に組み込まれた米びつの使用法について述べると、まず、米を収納するには、図２に示すように引出し１１をキャビネット１の前方（図２において右手前側）に引き出し、現れた米びつ本体１４の上面に設けられた投入口１４ａから米を内部に投入する。そして、投入後は、引出し１１を元の状態に閉め、常時は、この状態で使用されるようになっている。即ち、米を取り出す際には、引出し１１の前面板１１ａに設けられた操作釦１２を押せば、傾斜案内板１４ｂ，１４ｃを滑り落ちて計量機構部１４ｄに投入された一定容積の米が、この計量機構部１４ｄから落下排出されるようになっており、この落下排出された米は、その下方に位置したトレイ１３で受けられるようになっている。なお、この操作釦１２の一回の操作で排出される米の量は、規定の最少単位量に設定されている。従って、多量の米粒を必要とする場合は、操作釦１２を必要な回数だけ操作すれば良い。
【００１８】
このようにして、必要量の米の排出が完了すると、引出し１１の前側からこのトレイ１３を引き出せば良く、このように本発明の厨房家具用キャビネットでは、米の取り出しが、米びつ本体１４が取り付けられた引出し１１を開閉することなく、その必要な操作が、全て引出し１１の前側から行えるようになっている。よって、米を取り出す際、引出し１１の前方には、さほど大きな作業スペースを要さず、また、一々、この引出し１１を開閉する必要もない。
【００１９】
なお、米を取り出した後のトレイ１３は、引出し１１の前面から元の位置に挿入すれば良く、このことでこのトレイ１３は、計量機構部１４ｄから落下した米を受けることができる待機位置にセットされる。
【００２０】
以上のようにして本発明の厨房家具用キャビネットは、使用されるものである。
【００２１】
なお、図示した実施の形態では、厨房家具用キャビネットとして、天面にシンク２が設けられた流し台キャビネット１を例示したが、本発明の厨房家具用キャビネットは、内部に収納空間が設けられたものであれば、どのようなものであっても良く、例えば、レンジ台のようなものであっても良い。なお、レンジ台キャビネットの場合は、火災安全上、設置した際にレンジが壁面から離れるように、レンジをキャビネットの側面から所定寸法、離れた位置に設けなくてはならないが、本発明の厨房家具用キャビネットでは、この離れた寸法を利用して、ここに米びつ用の引出し１１を好適に設置することができるものである。また、図示していないが、この引出し１１の前面板１１ａには、内部に収納された米の量を確認するための確認窓のようなものを設けることとしても良い。
【００２２】
さらにまた、図示した実施の形態では、キャビネットの上側の収納部として開閉扉７，８が前後方向に移動する引出し形状のものを例示したが、この開閉扉は、観音開き式に開閉されるものであっても良い。
【００２３】
【発明の効果】
以上説明したように、本発明の厨房家具用キャビネットでは、米びつ本体が取りつけられた引出しの前面板に、米取出用の操作釦を設けると共に、排出された米を受けるトレイを挿脱可能に設けたので、米の取り出しが引出しを開閉することなく、その前面側から容易に行える。よって、引出しの前方にさほど広い操作スペースを必要とせず、また、操作も米が収納された重い引出しを一々、開閉する必要がないので、無駄な労力が削減され、この種の厨房家具用キャビネットの操作性の向上に優れた効果を奏する。
【図面の簡単な説明】
【図１】本発明に係る厨房家具用キャビネットの実施形態を示した要部斜視図である。
【図２】引出しを引き出した状態の斜視図である。
【図３】キャビネットの要部正面図である。
【図４】図３のＡ−Ａ線の断面図である。
【図５】従来例の使用状態斜視図である。
【符号の説明】
１  キャビネット
１１  引出し
１２  操作釦
１３  トレイ
１４  米びつ本体
１４ａ  投入口
１４ｂ，１４ｃ  傾斜案内板
１４ｄ  計量機構部
【図１】
2004242778.tif 000003
【図２】
2004242778.tif 000004
【図３】
2004242778.tif 000005
【図４】
2004242778.tif 000006
【図５】
2004242778.tif 000007